【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
用紙揃部に集積された用紙束を、当該用紙揃部から装置筐体の外部へ搬送する搬送手段と、
前記用紙揃部にて揃えられた用紙束の夫々第１端部及び第１端部と異なる第２端部を綴じる夫々第１綴手段及び第１綴手段よりも綴じを解放しやすい第２綴処理により綴じる第２綴手段とを備え、
第２綴手段は、用紙搬送方向に見て、第１綴手段よりも前記搬送手段に近い位置に配置されていることを特徴とする用紙処理装置。
【請求項２】
用紙を集積して揃える用紙揃え部と、
前記用紙揃え部にて揃えられた用紙束における第１の端部を第１の綴じ処理により綴じる第１の綴じ手段と、
前記用紙揃え部にて揃えられた用紙束における前記第１の端部とは異なる第２の端部を、前記第１の綴じ手段よりも綴じを解放しやすい第２の綴じ処理により綴じる第２の綴じ手段と、
前記用紙揃え部にて揃えられた用紙束に接触しながら、当該用紙束を当該用紙揃え部から装置筐体の外部へ向けて搬送する搬送手段とを備え、
前記第２の綴じ手段は、前記用紙束が装置筐体の外部へ搬送されるときの搬送方向において、前記第１の綴じ手段よりも前記搬送手段に近い位置にて当該用紙束を綴じるように配置されていることを特徴とする用紙処理装置。
【請求項３】
前記用紙揃え部に集積される用紙の後端を、当該用紙に接触することにより当該用紙揃え部の端部へ向けて押し込む押し込み手段を更に備え、
前記第２の綴じ手段は、前記押し込み手段よりも、前記用紙束が装置筐体の外部へ搬送されるときの搬送方向における下流側に位置することを特徴とする請求項２に記載の用紙処理装置。
【請求項４】
前記第１の端部は、前記用紙束が装置筐体の外部へ搬送されるときの搬送方向における上流側の端部であり、
前記第２の端部は、前記用紙束における前記第１の端部に隣接する端部であることを特徴とする請求項２又は３に記載の用紙処理装置。
【請求項５】
前記用紙束が前記用紙揃え部に集積される際に、当該用紙束の搬送方向に交差する方向についての当該用紙束の位置決めを行う位置決め手段を更に備え、
前記位置決め手段は、前記第２の綴じ処理が行われる際に、前記用紙揃え部にて前記交差する方向に揃えられた前記用紙束を当該交差する方向に移動させて、当該交差する方向における前記第２の綴じ手段に対する当該用紙束の位置決めを行うことを特徴とする請求項４に記載の用紙処理装置。
【請求項６】
前記搬送手段は、前記第２の綴じ処理が行われる際に、前記用紙揃え部上にある前記用紙束を当該用紙束の搬送方向に交差する方向に移動させて、当該交差する方向における前記第２の綴じ手段に対する当該用紙束の位置決めを行うことを特徴とする請求項４に記載の用紙処理装置。
【請求項７】
前記搬送手段は、前記位置決め手段又は当該搬送手段により前記搬送方向に交差する方向における前記第２の綴じ手段に対する位置決めがなされた前記用紙束を更に当該搬送方向に移動させて、当該搬送方向における当該第２の綴じ手段に対する当該用紙束の位置決めを行うことを特徴とする請求項５又は６に記載の用紙処理装置。
【請求項８】
前記第１の綴じ手段は、前記用紙束にステープル針を貫通させることにより前記第１の綴じ処理を行い、
前記第２の綴じ手段は、前記用紙束を構成する複数の前記用紙の重なり方向に跨った凹凸を形成することにより前記第２の綴じ処理を行うことを特徴とする請求項２乃至７のいずれかに記載の用紙処理装置。
【請求項９】
用紙に画像を形成する画像形成手段と、
前記画像形成手段により画像が形成された用紙を集積して揃える用紙揃え部と、
前記用紙揃え部にて揃えられた用紙束における第１の端部を第１の綴じ処理により綴じる第１の綴じ手段と、
前記用紙揃え部にて揃えられた用紙束における前記第１の端部とは異なる第２の端部を、前記第１の綴じ手段よりも綴じを解放しやすい第２の綴じ処理により綴じる第２の綴じ手段と、
前記用紙揃え部にて揃えられた用紙束に接触しながら、当該用紙束を当該用紙揃え部から装置筐体の外部へ向けて搬送する搬送手段とを備え、
前記第２の綴じ手段は、前記用紙束が装置筐体の外部へ搬送されるときの搬送方向において、前記第１の綴じ手段よりも前記搬送手段に近い位置にて当該用紙束を綴じるように配置されていることを特徴とする画像形成システム。
【請求項１０】
前記第２の綴じ処理が行われる際に、前記第１の綴じ処理が行われるときと比べて、前記画像形成手段が前記用紙束を構成するそれぞれの用紙上に形成する画像の向きを９０度回転させる画像回転手段を更に備えたことを特徴とする請求項９に記載の画像形成システム。
【手続補正２】
【補正対象書類名】明細書
【補正対象項目名】０００５
【補正方法】変更
【補正の内容】
【０００５】
請求項１に記載の発明は、用紙揃部に集積された用紙束を、当該用紙揃部から装置筐体の外部へ搬送する搬送手段と、前記用紙揃部にて揃えられた用紙束の夫々第１端部及び第１端部と異なる第２端部を綴じる夫々第１綴手段及び第１綴手段よりも綴じを解放しやすい第２綴処理により綴じる第２綴手段とを備え、第２綴手段は、用紙搬送方向に見て、第１綴手段よりも前記搬送手段に近い位置に配置されていることを特徴とする用紙処理装置である。
請求項２に記載の発明は、用紙を集積して揃える用紙揃え部と、前記用紙揃え部にて揃えられた用紙束における第１の端部を第１の綴じ処理により綴じる第１の綴じ手段と、前記用紙揃え部にて揃えられた用紙束における前記第１の端部とは異なる第２の端部を、前記第１の綴じ手段よりも綴じを解放しやすい第２の綴じ処理により綴じる第２の綴じ手段と、前記用紙揃え部にて揃えられた用紙束に接触しながら、当該用紙束を当該用紙揃え部から装置筐体の外部へ向けて搬送する搬送手段とを備え、前記第２の綴じ手段は、前記用紙束が装置筐体の外部へ搬送されるときの搬送方向において、前記第１の綴じ手段よりも前記搬送手段に近い位置にて当該用紙束を綴じるように配置されていることを特徴とする用紙処理装置である。
請求項３に記載の発明は、前記用紙揃え部に集積される用紙の後端を、当該用紙に接触することにより当該用紙揃え部の端部へ向けて押し込む押し込み手段を更に備え、前記第２の綴じ手段は、前記押し込み手段よりも、前記用紙束が装置筐体の外部へ搬送されるときの搬送方向における下流側に位置することを特徴とする請求項２に記載の用紙処理装置である。
請求項４に記載の発明は、前記第１の端部は、前記用紙束が装置筐体の外部へ搬送されるときの搬送方向における上流側の端部であり、前記第２の端部は、前記用紙束における前記第１の端部に隣接する端部であることを特徴とする請求項２又は３に記載の用紙処理装置である。
請求項５に記載の発明は、前記用紙束が前記用紙揃え部に集積される際に、当該用紙束の搬送方向に交差する方向についての当該用紙束の位置決めを行う位置決め手段を更に備え、前記位置決め手段は、前記第２の綴じ処理が行われる際に、前記用紙揃え部にて前記交差する方向に揃えられた前記用紙束を当該交差する方向に移動させて、当該交差する方向における前記第２の綴じ手段に対する当該用紙束の位置決めを行うことを特徴とする請求項４に記載の用紙処理装置である。
請求項６に記載の発明は、前記搬送手段は、前記第２の綴じ処理が行われる際に、前記用紙揃え部上にある前記用紙束を当該用紙束の搬送方向に交差する方向に移動させて、当該交差する方向における前記第２の綴じ手段に対する当該用紙束の位置決めを行うことを特徴とする請求項４に記載の用紙処理装置である。
請求項７に記載の発明は、前記搬送手段は、前記位置決め手段又は当該搬送手段により前記搬送方向に交差する方向における前記第２の綴じ手段に対する位置決めがなされた前記用紙束を更に当該搬送方向に移動させて、当該搬送方向における当該第２の綴じ手段に対する当該用紙束の位置決めを行うことを特徴とする請求項５又は６に記載の用紙処理装置である。
請求項８に記載の発明は、前記第１の綴じ手段は、前記用紙束にステープル針を貫通させることにより前記第１の綴じ処理を行い、前記第２の綴じ手段は、前記用紙束を構成する複数の前記用紙の重なり方向に跨った凹凸を形成することにより前記第２の綴じ処理を行うことを特徴とする請求項２乃至７のいずれかに記載の用紙処理装置である。
請求項９に記載の発明は、用紙に画像を形成する画像形成手段と、前記画像形成手段により画像が形成された用紙を集積して揃える用紙揃え部と、前記用紙揃え部にて揃えられた用紙束における第１の端部を第１の綴じ処理により綴じる第１の綴じ手段と、前記用紙揃え部にて揃えられた用紙束における前記第１の端部とは異なる第２の端部を、前記第１の綴じ手段よりも綴じを解放しやすい第２の綴じ処理により綴じる第２の綴じ手段と、前記用紙揃え部にて揃えられた用紙束に接触しながら、当該用紙束を当該用紙揃え部から装置筐体の外部へ向けて搬送する搬送手段とを備え、前記第２の綴じ手段は、前記用紙束が装置筐体の外部へ搬送されるときの搬送方向において、前記第１の綴じ手段よりも前記搬送手段に近い位置にて当該用紙束を綴じるように配置されていることを特徴とする画像形成システムである。
請求項１０に記載の発明は、前記第２の綴じ処理が行われる際に、前記第１の綴じ処理が行われるときと比べて、前記画像形成手段が前記用紙束を構成するそれぞれの用紙上に形成する画像の向きを９０度回転させる画像回転手段を更に備えたことを特徴とする請求項９に記載の画像形成システムである。
【手続補正３】
【補正対象書類名】明細書
【補正対象項目名】０００６
【補正方法】変更
【補正の内容】
【０００６】
請求項１の発明によれば、第１の綴じ手段よりも綴じを解放しやすい第２の綴じ手段により用紙束を綴じる場合であっても、本構成を有していない場合に比較して搬送手段が用紙束を搬送することにより生じる用紙束の綴じの乱れを抑制するように、綴じの解放しやすさが異なる複数の綴じ手段を設けることができる。
請求項２の発明によれば、第１の綴じ手段よりも綴じを解放しやすい第２の綴じ手段により用紙束を綴じる場合であっても、本構成を有していない場合に比較して搬送手段が用紙束を搬送することにより生じる用紙束の綴じの乱れを抑制するように、綴じの解放しやすさが異なる複数の綴じ手段を設けることができる。
請求項３の発明によれば、本構成を有していない場合に比較して、第２の綴じ手段により用紙束を綴じた後、用紙束が装置筐体の外部へ搬送されるまでの間に生じる用紙束の綴じの乱れを抑制することができる。
請求項４の発明によれば、用紙束の搬送方向における上流側の端部を第１の綴じ手段により綴じることができるとともに、本構成を有していない場合に比較して用紙束の綴じの乱れを抑制しつつ、用紙束の搬送方向に延在する端部を第２の綴じ手段により綴じることができる。
請求項５の発明によれば、用紙揃え部にて用紙を揃えるときの部材を用いて、用紙束の搬送方向に交差する方向における第２の綴じ手段に対する用紙束の位置決めを行うことができる。
請求項６の発明によれば、用紙束を装置筐体の外部へ向けて搬送させる部材を用いて、用紙束の搬送方向に交差する方向における第２の綴じ手段に対する用紙束の位置決めを行うことができる。
請求項７の発明によれば、用紙束を装置筐体の外部へ向けて搬送させる部材を用いて、用紙束の搬送方向における第２の綴じ手段に対する用紙束の位置決めを行うことができる。
請求項８の発明によれば、本構成を有していない場合に比較して、用紙束における第１の端部側を解放しにくくできるとともに、第２の端部側を解放しやすくすることができる。
請求項９の発明によれば、第１の綴じ手段よりも綴じを解放しやすい第２の綴じ手段により用紙束を綴じる場合であっても、本構成を有していない場合に比較して搬送手段が用紙束を搬送することにより生じる用紙束の綴じの乱れを抑制するように、綴じの解放しやすさが異なる複数の綴じ手段を設けることができる。
請求項１０の発明によれば、第１の綴じ手段により綴じられる用紙束の第１の端部に隣接する第２の端部を第２の綴じ手段により綴じる場合であっても、綴じ位置と用紙上に形成される画像の向きとを整合させることができる。